(57)【特許請求の範囲】
【請求項１】
測位衛星から自己の空間的位置情報を取得し、該空間的位置情報を位置情報取得時間に対応させて記憶し、且つ、自己の移動速度を計算し、前記自己の移動速度に応じて前記空間的位置情報の取得間隔を制御する移動端末と、
前記移動端末から取得した前記空間的位置情報及び前記位置情報取得時間に基づいて前記移動端末の移動速度及び移動方向を推定し、一定時間後の前記移動端末の存在推定範囲を割り出し、前記存在推定範囲、空間的範囲希望条件、及びユーザの配信希望条件に適合する適合地域情報を前記移動端末に配信する情報提供サーバーと、
前記適合地域情報を前記情報提供サーバーに提供する情報管理データベースと
を具備する
移動体向け情報提供システム。
【請求項２】
前記空間的位置情報は、前記移動端末から前記情報提供サーバーに自動的に送信される
請求項１の移動体向け情報提供システム。
【請求項３】
前記空間的位置情報は経緯度である
請求項１の移動体向け情報提供システム。
【請求項４】
前記空間的範囲希望条件は、前記経緯度により規定される点を中心とする円の領域である
請求項３の移動体向け情報提供システム。
【請求項５】
前記情報提供サーバーは、前記空間的位置情報と前記空間的範囲希望条件に基づいて空間的適合地域範囲を計算し、前記空間的適合地域範囲の中で前記適合地域情報を抽出する
請求項１〜４から選択される１請求項の移動体向け情報提供システム。
【請求項６】
前記地域情報は、複数の情報提供者が前記情報提供サーバーに送信する情報の集合である
請求項１〜５から選択される１請求項の移動体向け情報提供システム。
【請求項７】
前記情報提供サーバーは、前記移動端末から前記位置情報を受け取る時刻に基づいて前記適合地域情報を前記情報から抽出する
請求項１〜６から選択される１請求項の移動体向け情報提供システム。
【請求項８】
前記時刻は、前記情報提供サーバーに固有である時計に基づくリアルタイムである
請求項７の移動体向け情報提供システム。
【請求項９】
前記情報管理データベースは、前記情報提供者ＩＤと前記情報提供者の情報提供者位置情報とを対応させるテーブルを備える
請求項１〜８から選択される１請求項の移動体向け情報提供システム。
【請求項１０】
前記情報管理データベースは、前記ユーザーのＩＤと前記ユーザーの属性とを対応させるテーブルを備える
請求項９の移動体向け情報提供システム。
【請求項１１】
前記情報管理データベースは、情報提供者の固定電話番号と経緯度とを対応させるテーブルを備える
請求項１〜１０から選択される１請求項の移動体向け情報提供システム。
【請求項１２】
前記情報提供サーバは、時間的希望条件を更に受け取り、
前記空間的範囲希望条件は、前記空間的位置情報に対応する時刻情報により算出される速度情報と前記時間的希望条件とにより算出される
請求項１〜１１から選択される１請求項の移動体向け情報提供システム。
【請求項１３】
ユーザーの移動端末が、測位衛星から自己の空間的位置情報を取得し、該空間的位置情報を位置情報取得時間に対応させて記憶し、且つ、自己の移動速度を計算し、前記自己の移動速度に応じて前記空間的位置情報の取得間隔を制御するステップと、
情報提供サーバーが、前記移動端末から前記移動端末の空間的位置情報、前記空間的位置情報の取得時間、前記ユーザーの空間的範囲希望条件、及び前記ユーザーの配信希望条件を受け付けるステップと、
前記情報提供サーバーが、前記空間的位置情報及び前記取得時間に基づいて前記移動端末の移動速度及び移動方向を推定し、一定時間後の前記移動端末の存在推定範囲を割り出し、前記存在推定範囲と前記空間的範囲希望条件と前記配信希望条件とに適合する地域情報を抽出するステップと、
前記情報提供サーバーが、前記地域情報を前記移動端末に送信するステップと
を具備する
移動体向け情報提供方法。
【請求項１４】
前記空間的位置情報は、前記移動端末から前記情報提供サーバーに自動的に送信される
請求項１３の移動体向け情報提供方法。
【請求項１５】
前記情報提供サーバーにより前記空間的位置情報と前記空間的希望条件に基づいて空間的適合地域範囲を計算するステップと、
前記情報提供サーバーにより前記空間的適合地域範囲の中で前記適合地域情報を抽出するステップ
とを更に具える請求項１３の移動体向け情報提供方法。
【請求項１６】
前記空間的適合地域範囲は、前記空間的位置情報である点位置を中心とし前記空間的希望条件を半径とする円である
請求項１５の移動体向け情報提供方法。
【請求項１７】
前記情報提供サーバーにより情報提供者の情報提供者端末から前記情報提供者の固定的情報提供者位置を割り出すステップ
を更に具える請求項１５又は１６の移動体向け情報提供方法。
【請求項１８】
前記移動端末により測位衛星から受ける位置情報伝播を受けるステップと、
前記移動端末により前記空間的位置情報を計算するステップ
とを更に具える請求項１７の移動体向け情報提供方法。
【請求項１９】
前記空間的位置情報に対応する時刻により前記移動端末の速度を算出するステップを更に具え、
前記空間的範囲希望条件は、前記速度と前記時間的希望条件とにより算出される
請求項１４〜１８から選択される１請求項の移動体向け情報提供方法。
【発明の詳細な説明】
【０００１】
【発明の属する技術分野】
本発明は、移動体向け情報提供システム、及び、移動体向け情報提供方法に関し、特に、移動端末に地域情報を提供する移動体向け情報提供システム、及び、移動体向け情報提供方法に関する。
【０００２】
【従来の技術】
移動端末の位置情報に基づく情報提供（配信）が提供されつつある。個人家屋、サービス店（例示：本屋、飲食店、郵便局）、サービス機関（例示：電話局、中央郵便局）、催し会場（例示：博覧会、映画館、博物館、劇場）のような地球上の有意義物体は、経度と緯度とから形成される２次元的幾何学情報によりそれらの位置が特定される。移動端末の位置は、ジャイロ、ＧＰＳの連動により、数ｃｍの単位で特定される精度が安価に実現している。移動端末と固定物体との間の２次元的、３次元的相対位置は、数ｃｍの単位で特定される。
【０００３】
このような相対的位置情報に基づけば、特開２００１−３１８８４５号に示されるように、ユーザーは移動可能な範囲の任意の位置に対応する有益情報を入手することができる。国際見本市会場では任意のブースが２次元位置情報で特定されるので、入場者は、自己の携帯端末の表示面に地図と出品内容を対応さることにより、自己に必要である複数のブースを計画的に最短コースで短時間で見学することができる。
【０００４】
旅行のように不特定地に出かける場合、移動手段が特定されないことが多い。徒歩、自転車、タクシー、汽車、電車、ローカルジェット旅客機のように多様に存在する移動手段を利用して、最善に有益である場所をめぐることができるための情報提供方法の提供が望まれる。行動範囲に適合する地域情報提供が望まれる。移動者に対してダイナミックに地域情報を提供することが望まれる。
【０００５】
【発明が解決しようとする課題】
本発明の課題は、ユーザーの行動範囲に適合する地域情報を配信することができる移動体向け情報提供システム、及び、移動体向け情報提供方法を提供することにある。
本発明の他の課題は、移動者に対してダイナミックに地域情報を提供することができる移動体向け情報提供システム、及び、移動体向け情報提供方法を提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明による移動体向け情報提供システムは、通信回線（３）に接続している情報提供サーバー（５）と、情報提供サーバー（５）に属する情報管理データベース（７）とから構成されている。情報提供サーバー（５）は、ユーザーの移動端末（１７）から受ける空間的位置情報と空間的範囲希望条件と内容希望条件とに適合する適合地域情報（２６）を情報管理データベース（７）に登録されている地域情報から抽出し、適合地域情報（２６）を移動端末（７）に配信する。ユーザーは、ダイナミックに適正な地域情報を即時的に入手することができる。
【０００８】
空間的位置情報と空間的範囲希望条件とにより、ユーザーが存在する地点を基準として情報検索の適正範囲が規定される。空間的位置情報は、移動端末（１７）がＧＰＳから受け取る測位データに基づいて移動端末により計算により求められる。移動端末（１７）は、自己のプログラムにより情報提供サーバー（５）に自動的に空間的位置情報を送信することができ、ユーザーの送信操作は必要ではない。空間的位置情報は、地球座標系上で経緯度として表現される。
【０００９】
空間的適合地域範囲として、経緯度により規定される点を中心とする円の領域が好適に例示されるが、ユーザーは概ねの方向を希望条件として指定することができる。ユーザーは範囲を具体的に指定する必要はなく、自己の移動手段に対応する行動可能半径を指定すれば、情報提供サーバー（５）が空間的位置情報と空間的希望条件に基づいて空間的適合地域範囲を計算して、空間的適合地域範囲の中で適合地域情報を抽出する。
【００１０】
地域情報は、複数の情報提供者が情報提供サーバー（５）に送信する情報の集合であり、情報提供者がその提供を希望する情報が、長期的に情報提供サーバー（５）に集められ、又は、期間限定的に又は時々刻々に情報提供サーバー（５）に集められる。情報提供サーバー（５）は、移動端末（７）から位置情報を受け取る時刻に基づいて適合地域情報を情報から抽出するので、ユーザーにタイムリーに空間的適合地域情報を提供し、無駄な情報を提供することはない。
【００１１】
時刻は、情報提供サーバー（５）に固有である時計に基づくリアルタイムである。空間的位置情報を計算により求めて得る時刻とその時計とは、ユーザーの位置の精度から見て、概ね同時刻であると考えることができる。情報管理データベース（７）は、情報提供者ＩＤと情報提供者の情報提供者位置情報とを対応させるテーブル（１６）を備えている。情報管理データベース（７）は、ユーザーのＩＤとユーザーの属性とを対応させるテーブル（１１）を更に備えている。情報管理データベース（７）は、情報提供者の固定電話番号と経緯度とを対応させるテーブル（１５）を更に備えている。
【００１２】
情報提供サーバ（５）は、時間的希望条件を更に受け取り、空間的範囲希望条件は、空間的位置情報に対応する時刻情報により算出される速度情報と時間的希望条件とにより算出される。
【００１３】
本発明による移動体向け情報提供方法は、情報提供サーバー（５）によりユーザーの移動端末（７）から移動端末（７）の空間的位置情報とユーザーの空間的範囲希望条件とユーザーの内容希望条件とを受け付けるステップと、情報提供サーバーにより空間的位置情報と空間的範囲希望条件とに基づいて内容希望条件に適合する地域情報を抽出するステップと、情報提供サーバー（５）により地域情報を移動端末（７）に送信するステップとから構成されている。情報提供サーバー（５）により空間的位置情報と空間的希望条件に基づいて空間的適合地域範囲を計算するステップと、情報提供サーバー（５）により空間的適合地域範囲の中で適合地域情報を抽出するステップが有効に追加される。情報提供サーバー（５）により情報提供者の情報提供者端末から情報提供者の固定的情報提供者位置を割り出すステップが更に有効に追加される。移動端末（７）により測位衛星から受ける位置情報伝播を受けるステップと、移動端末（７）により空間的位置情報を計算するステップ、空間的位置情報に対応する時刻により移動端末（７）の速度を算出するステップが更に有効に追加される。空間的範囲希望条件は、速度と時間的希望条件とにより算出され得る。
【００１４】
【発明の実施の形態】
図に対応して、本発明による移動体向け情報提供システムの実施の形態は、情報提供者端末が情報提供サーバとシステム管理者端末ともに設備されている。その第１情報提供者端末１と第２情報提供者端末２とは、インタネット３又は携帯電話網４を介して、それぞれに情報提供サーバ５に接続している。第１情報提供者端末１は、インタネットのＷｅｂページを扱うためのＷｅｂプラザのようなアプリケーションソフトが実装されている端末であり、代表的には汎用のコンピュータである。第２情報提供者端末２は、ｉ−ｍｏｄｅ（登録商標）、Ｓ−ＳＫＹ、ＥＺＷｅｂのようなインタネットに対して接続可能であり情報提供者が移動可能に所持している移動端末であり、代表的には携帯電話、ＰＤＡのような移動端末である。
【００１５】
情報提供サーバ５は、ユーザ管理データベース６と、情報管理データベース７と、位置情報変換器８とにそれぞれに接続している。ユーザ管理データベース６は、ユーザーの属性と情報提供者の認証を管理し、ユーザーのＩＤとパスワードを管理している。情報管理データベース７は、地域情報と地域情報に関する属性を管理している。位置情報変換器８は、位置情報を軽度・緯度に変換するテーブルを管理している。
【００１６】
情報提供者Ｍは、第１情報提供者端末１又は第２情報提供者端末２を用いて、インタネット３又は携帯電話網４を介して、情報提供サーバ５にアクセスする。情報提供者Ｍが情報提供サーバ５にアクセスすれば、情報提供者Ｍに対応する情報提供者管理者Ｎを特定するログイン画面が自己の情報提供者端末１に表示される。情報提供者Ｍは、自己に割り当てられているＩＤ・パスワードを自己の情報提供者端末１の図２に示されるログイン画面９から入力する。情報提供サーバ５は、自己が管理している照合テーブルと照合することにより認証を行う。図３は、そのような照合テーブル１１を示している。照合テーブル１１は、情報提供者管理者ＮのＩＤと、情報提供者Ｍのログインパスワードと、情報提供者詳細とを１対１対１に対応させる表である。
【００１７】
図２に示されるように、情報提供者ＭのＩＤとパスワード１２が情報提供サーバ５に送信される（ステップＡ１）。情報提供サーバ５は、ＩＤとログインパスワード１２がユーザ管理データベース６で管理されているＩＤとログインパスワードに一致しているかどうかについて判断することにより、一致・不一致の認証を実行する。その認証実行は、情報提供サーバ５又は情報提供サーバ５に属するユーザ管理データベース６で実行される（ステップＡ２）。その認証結果は、ユーザ管理データベース６から情報提供サーバ５に伝達される（ステップＡ３）。情報提供サーバ５は、その認証に失敗すれば、ログイン画面９に認証失敗１３を伝達し、その失敗はログイン画面９のエラー表示画面１４に表示される。
【００１８】
情報提供者Ｍは、第１情報提供者端末１を用いて自己の属性に適正に対応するビジネス情報を情報提供サーバ５に送信して登録する（ステップＡ４）。そのようなビジネス情報として、地域情報と、位置情報と、嗜好情報、適正化情報がある。地域情報として、店舗情報、タイムセール情報、買い得情報、見せれば割引される画面、イベント情報、施設情報、企業情報が例示される。位置情報として、経度・緯度、住所、固定電話番号が例示される。嗜好情報として、レストラン、スナック、バザーが例示される。適正化情報として、ビジネス対象の性別、年齢が例示される。
【００１９】
情報提供サーバ５は、登録のために第１情報提供者端末１から送信されてきた位置情報が経度・緯度であるかどうかを判別し（ステップＡ５）、その位置情報が経度・緯度でなく住所、電話番号であれば、情報提供サーバ５はその位置情報を位置情報変換器８に送信し（ステップＡ６）、位置情報変換器８は、位置情報変換器８で管理している図４の経緯度対応テーブル１５を用いて、その非経緯度情報を経緯度情報に変換して（ステップＡ７）、第１情報提供者端末１のＩＤに対応づけて情報提供サーバ５で登録する（ステップＡ８）。情報提供サーバ５は、第１情報提供者端末１から送信されてきた位置情報が経度・緯度であれば、そのままにその位置情報を情報提供サーバ５で登録する（ステップＡ８）。登録される情報は、情報管理データベース７で登録保持される（ステップＡ９）。
【００２０】
図４は、経緯度対応テーブル１５を示している。経緯度対応テーブル１５は、第１情報提供者端末１の住所と電話番号と経度と緯度とを１対１対１対１に対応させる表である。位置情報変換器８で変換された位置情報の経緯度情報は、位置情報変換器８から情報提供サーバ５に戻され、情報提供サーバ５は、図５に示されるように、ビジネス情報テーブル１６を作成して、地域情報と他の属性情報とともに経緯度情報を情報管理データベース７に登録する。ビジネス情報テーブル１６は、情報提供者１と経度と緯度と提供期間と嗜好情報と地域情報と属性情報とを対応つける表である。
【００２１】
図６は、ユーザーＵが情報を検索するフローを示している。ユーザーＵは、携帯端末１７を用いて地域情報を取得することができる。ＧＰＳ衛星１８は、図１に示されるように、携帯端末１７と第２情報提供者端末２に接続している。第２情報提供者端末２と携帯端末１７とは、ＧＰＳ衛星１８から受信する位置割出し信号１９に基づいて自己の経緯度情報を知ることができる。携帯端末１７は、図６に示されるように、位置割出し信号１９を受信する（ステップＢ１）。ユーザーＵは、自己の携帯端末１７を動作せて、ログイン画面２１を表示し、個別に割り当てられているユーザー側ＩＤ・パスワードをログイン画面２１に入力することにより、システムに対してログインする（ステップＢ２）。
【００２２】
ユーザーＵが携帯電話又はＰＤＡのような移動端末を用いて、公式コンテンツでサービスを受ける場合であり、各キャリアから提供されるユーザーＩＤを使用することができる場合には、そのログイン入力を省略することができる。ｉアプリケーションのような携帯電話に組み込んだＪＡＶＡ（登録商標）プログラムから情報収集する場合には、公式コンテンツでユーザー特定が可能であるから、このような場合にも、そのログイン入力を省略することができる。ユーザー特定が不可能である場合には、本システムに特有であるＩＤ・パスワードが必要である。
【００２３】
情報提供サーバ５は、ユーザーＵのＩＤを確認し、その確認の成功又は失敗を携帯端末１７に返答する。確認成功の返答を受けたユーザーＵは、地方情報条件を入力する情報提供検索画面２２にログイン画面２１を遷移させる。情報提供サーバ５は、ＩＤ確認ができない場合には、ログインしないでエラーメッセージを携帯端末１７に送信し、又は、紹介ページに遷移させる。
【００２４】
ユーザーＵは、固定情報としてユーザー属性を登録しておく。図７は、ユーザー属性テーブル２３を示している。ユーザー属性テーブル２３は、ユーザーＩＤとパスワードと属性（例示：性別、年齢）とを１対１対１に対応させる表である。公式コンテンツに関しては、パスワードは空欄であることが可能である。ユーザー認証は、ユーザ管理データベース６でＩＤ・パスワードにより実行される（ステップＢ３，４）。
【００２５】
ログインが成功的に完了すれば、ユーザーＵは、希望条件を情報提供検索画面２２に入力する。希望条件の入力は、選択的に実行され得る。指定される希望条件は、下記に例示される。
（１）自己を中心とする円形範囲（半径）
距離ｍの指定は、記入入力又はプルダウン式選択により行われる。
（２）自己の空間的位置
円形範囲の中心である自己の座標である経緯度は、ＧＰＳ衛星１８の送信電波に基づいて取得することができる。
（３）嗜好条件
レストラン、遊園地、ゲームセンタ、イベントその他の嗜好項目が、チェックボックス形式で選択され得る。その選択は、情報検索ボタン又はリンクの押し下げにより行われ得る。
【００２６】
このような希望条件２４は、図１に示されるように、携帯端末１７から基地局２５と携帯電話網４とインタネット３とを介して、情報提供サーバ５に送信される（ステップＢ５）。情報提供サーバ５は、希望条件２４を取得した取得時刻を記録する（ステップＢ６）。情報提供サーバ５は、自己の時計に基づいて取得時刻をリアルタイム時刻としてユーザー情報に加える。
【００２７】
情報提供サーバ５は、ユーザーＩＤを読出し、ユーザ管理データベース６にアクセスして、ユーザ管理データベース６のユーザー属性テーブル２３により検索のために必要である性別を検索し（ステップＢ７）、性別判定結果をユーザ管理データベース６から受取る（ステップＢ８）。情報提供サーバ５は、地域情報範囲演算処理を実行して（ステップＢ９）、位置情報を抽出する地域範囲（例示：円形範囲）の経緯度を演算する。情報提供サーバ５は、その地域範囲と希望条件２４を情報管理データベース７に伝達して、その範囲と希望条件２４に基づく地域情報検索を情報管理データベース７に指示する（ステップＢ１０）。
【００２８】
ビジネス情報テーブル１６を保持している情報管理データベース７は、地域範囲と嗜好条件とから形成される希望条件と、ユーザーＩＤと、取得時刻（時間条件）と、性別（属性条件）とに適合する適合地域情報２６を抽出する。このように抽出された適合地域情報２６は、情報管理データベース７から情報提供サーバ５に送信される。情報提供サーバ５は、適合地域情報２６を加工することによりユーザーＵが見やすく理解しやすい画面情報に変換してページを作成し（ステップＢ１２）、画面化適合地域情報２７を携帯端末１７に提供する（ステップＢ１２）。
【００２９】
画面化適合地域情報２７は、ジャンル別に階層化され、情報量が１頁のサイズを越える場合には、次頁に続けるリンクをつける。ｉアプリケーションのプログラムからのアクセスの場合、移動端末側のプログラム処理によりその情報を見せることになるので、この場合には、頁の編集を行わずに、抽出された適合地域情報２６をそのままに携帯端末１７に送信することができる。
【００３０】
図８は、本発明による移動体向け情報提供システムの実施の他の形態を示している。実施の本形態は、ユーザーＵの移動速度が考慮される。携帯端末１７は、時々刻々にＧＰＳ衛星１８から送信されて来る位置割出し信号１９に基づいて割り出した位置履歴をプログラム起動時に消去する。携帯端末１７は、新たに位置情報を取得し、その位置情報を位置情報取得時刻に対応させて記録する。その場合、携帯端末１７の位置情報取得プログラム２８は、位置情報取得間隔を制御する。携帯端末１７は、位置と時刻とに基づいて自己の移動速度を計算する。移動位置情報取得履歴間隔は、ユーザーＵの移動速度に対応して制御される（例示：徒歩移動の場合には１分間隔、自動車移動の場合に６秒）。
【００３１】
ユーザーのＩＤと位置情報履歴と時刻履歴とから構成されるユーザー対応移動履歴２９が、携帯端末１７から情報提供サーバ５に送信される（ステップＣ１）。情報提供サーバ５はそのＩＤを確認するためにそのＩＤをユーザ管理データベース６に伝達し、認証結果を受け取る（ステップＣ２）。情報提供サーバ５は、その認証に失敗すれば、その失敗結果を携帯端末１７に送信してその失敗を携帯端末１７のエラー表示画面３１に表示させ（ステップＣ３）、情報提供サーバ５は、その認証に成功すれば、その携帯端末１７に情報提供検索画面２２に表示させる（ステップＣ４）。情報提供サーバ５は、ユーザーＵの移動履歴に基づいて、ユーザーの最新の存在位置とその最新の時刻から一定時間（徒歩移動と自動車移動では異なる）の後の存在推定範囲を計算して割り出す。存在推定範囲は、一定時間後の移動推定距離と推定角度範囲とから形成されている。その存在推定範囲は、携帯端末１７の運動属性としてユーザ管理データベース６の属性記録部位３２に記録される（ステップＣ５）。
【００３２】
図６で示されるステップＢ８，Ｂ９，Ｂ１０，Ｂ１１，Ｂ１２に対応する複数のステップでは、ユーザーＵの存在推定範囲が考慮され、その存在推定範囲内の地域情報が作成されて携帯端末１７に送信される。
【００３３】
ある時刻にある地点にいるユーザーが徒歩で移動していて、ユーザーの希望条件が郵便局の紹介・探索であり、情報提供サーバ５がユーザーの現在位置から２０ｍの範囲に存在する郵便局を探知した場合、情報提供サーバ５は、ユーザーの現在位置からその郵便局までの地図（途中の店舗の店舗名を含む）を作成して携帯端末１７に送信する。図９は、ユーザーＩＤと性別と移動推定距離（有効距離）との対応を示すテーブル３３であり、ユーザ管理データベース６の中にその都度に形成される。
【００３４】
【発明の効果】
本発明による移動体向け情報提供システム、及び、移動体向け情報提供方法は、自己の存在地点の周囲の地域情報を自己の状況に適合させて取得することができる。特には、自己の最新時刻から移動する推定移動範囲が考慮されことは重要である。ユーザーはダイナミックに近辺の地域情報を的確に入手することができる。
【図面の簡単な説明】
【図１】図１は、本発明による移動体向け情報提供システムの実施の形態を示すシステムブロック図である。
【図２】図２は、本発明による移動体向け情報提供方法の実施の形態を示すシステムフロー図である。
【図３】図３は、テーブルを示す表である。
【図４】図４は、他のテーブルを示す表である。
【図５】図５は、更に他のテーブルを示す表である。
【図６】図６は、本発明による移動体向け情報提供方法の実施の他の形態を示すシステムフロー図である。
【図７】図７は、更に他のテーブルを示す表である。
【図８】図８は、本発明による移動体向け情報提供方法の実施の更に他の形態を示すシステムフロー図である。
【図９】図９は、更に他のテーブルを示す表である。
【符号の説明】
３…通信回線
５…情報提供サーバー
７…情報管理データベース
１１，１５，１６…テーブル
１７…移動端末
２６…適合地域情報
【図１】
0003801089.tif 000002
【図２】
0003801089.tif 000003
【図３】
0003801089.tif 000004
【図４】
0003801089.tif 000005
【図５】
0003801089.tif 000006
【図６】
0003801089.tif 000007
【図７】
0003801089.tif 000008
【図８】
0003801089.tif 000009
【図９】
0003801089.tif 000010